(57)【特許請求の範囲】
【請求項１】
内部空間を備え、空気吸入部及び空気排出部を備えるハウジングと、
前記ハウジングの内部に備えられ、前記空気吸入部から前記空気排出部に移動する空気の湿気を除去する除湿部と、
前記空気排出部側に備えられ、前記ハウジングの内部の空気を前記空気排出部から乾燥対象物に吐出させる送風部と、
前記除湿部の後端に配置され、前記除湿部を通過した乾燥空気を前記送風部に案内する流路部と、
一側が前記流路部と連結され、他側に前記送風部が備えられ、外部の空気が前記送風部に流入可能な経路を構成する貫通部が形成されたダクト部と、
を含み、
前記ダクト部は、前記送風部の送風方向を転換させるように構成される、循環構造の空気調和装置。
【請求項２】
前記空気吸入部は前記ハウジングの下部に備えられ、
前記空気排出部は前記ハウジングの前面の上部に備えられる、請求項１に記載の循環構造の空気調和装置。
【請求項３】
前記ダクト部は、前記流路部に対して左右方向と上下方向のうち少なくとも一つの方向に回転可能であるように構成される、請求項１に記載の循環構造の空気調和装置。
【請求項４】
前記ダクト部は、前記流路部に対して左右方向に回転可能であり、前記ダクト部を左右方向に回転させる第１の駆動部を備える、請求項３に記載の循環構造の空気調和装置。
【請求項５】
前記ダクト部は、前記流路部に対して上下方向に回転可能に備えられ、前記ダクト部を上下方向に回転させる第２の駆動部を備える、請求項３に記載の循環構造の空気調和装置。
【請求項６】
前記ダクト部は、
前記流路部に対して左右方向に回転可能に備えられる第１のダクト部と、前記第１のダクト部を左右方向に回転させる第１の駆動部とを備え、
前記第１のダクト部に対して上下方向に回転可能に備えられ、前記送風部が備えられる第２のダクト部と、前記第２のダクト部を上下方向に回転させる第２の駆動部とを備える、請求項３に記載の循環構造の空気調和装置。
【請求項７】
前記ダクト部には、前記貫通部を開閉する開閉部材が備えられる、請求項１に記載の循環構造の空気調和装置。
【請求項８】
前記ハウジングの外側に備えられ、前記開閉部材と連結されて外力を前記開閉部材に伝達する摘み部をさらに含む、請求項７に記載の循環構造の空気調和装置。
【請求項９】
前記開閉部材と摘み部は、前記ダクト部に上下方向に回転可能にヒンジ結合され、
前記摘み部が前記ハウジングの上側に配置された場合に前記開閉部材が前記貫通部を開放するように構成され、前記摘み部が前記ハウジングの側面に配置された場合に前記開閉部材が前記貫通部を閉鎖するように構成される、請求項８に記載の循環構造の空気調和装置。
【請求項１０】
前記除湿部は、冷凍サイクルの熱交換器で構成される、請求項１に記載の循環構造の空気調和装置。
【請求項１１】
前記貫通部が開放された状態で前記送風部が作動し前記除湿部が作動停止して室内空気を循環させる空気循環モードを備える、請求項１に記載の循環構造の空気調和装置。
【請求項１２】
前記貫通部が開放された状態で前記送風部と前記除湿部が作動して室内空気を除湿し乾燥対象物へ除湿空気を送風する乾燥モードを備える、請求項１に記載の循環構造の空気調和装置。
【請求項１３】
前記貫通部が閉鎖された状態で前記送風部と前記除湿部が作動して室内空気を除湿する室内除湿モードを備える、請求項１に記載の循環構造の空気調和装置。
【請求項１４】
前記貫通部が開放された状態で前記送風部が作動し前記除湿部が作動停止して室内空気を循環させる空気循環モード、
前記貫通部が開放された状態で前記送風部と前記除湿部が作動して室内空気を除湿し乾燥対象物へ除湿空気を送風する乾燥モード、及び
前記貫通部が閉鎖された状態で前記送風部と前記除湿部が作動して室内空気を除湿する室内除湿モードのうち少なくとも一つを備える、請求項１に記載の循環構造の空気調和装置。
【請求項１５】
内部空間を備え、空気吸入部及び空気排出部を備えるハウジングと、
前記ハウジングの内部に備えられ、前記空気吸入部から前記空気排出部に移動する空気に水分を提供する加湿部と、
前記空気排出部側に備えられ、前記ハウジングの内部の空気を前記空気排出部から吐出させる送風部と、
前記加湿部の後端に配置され、前記加湿部を通過した湿った空気を前記送風部に案内する流路部と、
一側が前記流路部と連結され、他側に前記送風部が備えられ、外部の空気が前記送風部に流入可能な経路を構成する貫通部が形成されたダクト部と、
を含み、
前記ダクト部は、前記送風部の送風方向を転換させるように構成される、循環構造の空気調和装置。
【請求項１６】
前記空気吸入部は前記ハウジングの下部に備えられ、
前記空気排出部は前記ハウジングの前面の上部に備えられる、請求項１５に記載の循環構造の空気調和装置。
【請求項１７】
前記ダクト部は、前記流路部に対して左右方向と上下方向のうち少なくとも一つの方向に回転可能であるように構成される、請求項１５に記載の循環構造の空気調和装置。
【請求項１８】
前記ダクト部は、
前記流路部に対して左右方向に回転可能に備えられる第１のダクト部と、前記第１のダクト部を左右方向に回転させる第１の駆動部とを備え、
前記第１のダクト部に対して上下方向に回転可能に備えられ、前記送風部が備えられる第２のダクト部と、前記第２のダクト部を上下方向に回転させる第２の駆動部とを備える、請求項１７に記載の循環構造の空気調和装置。
【請求項１９】
前記ダクト部には、前記貫通部を開閉する開閉部材が備えられる、請求項１５に記載の循環構造の空気調和装置。
【請求項２０】
前記ハウジングの外側に備えられ、前記開閉部材と連結されて外力を前記開閉部材に伝達する摘み部をさらに含む、請求項１９に記載の循環構造の空気調和装置。
【請求項２１】
前記加湿部は、水を貯蔵する水槽から加湿用の水の供給を受けて前記ハウジングの内部を流動する空気に水分を供給する加湿手段で構成される、請求項１５に記載の循環構造の空気調和装置。
【請求項２２】
内部空間を備え、空気吸入部及び空気排出部を備えるハウジングと、
前記ハウジングの内部に備えられ、前記空気吸入部から前記空気排出部に移動する空気を浄化させる空気浄化フィルターと、
前記空気排出部側に備えられ、前記ハウジングの内部の空気を前記空気排出部から吐出させる送風部と、
前記空気浄化フィルターの後端に配置され、前記空気浄化フィルターを通過した清浄空気を前記送風部に案内する流路部と、
一側が前記流路部と連結され、他側に前記送風部が備えられ、外部の空気が前記送風部に流入可能な経路を構成する貫通部が形成されたダクト部と、
を含み、
前記ダクト部は、前記送風部の送風方向を転換させるように構成される、循環構造の空気調和装置。
【請求項２３】
前記空気吸入部は前記ハウジングの下部に備えられ、
前記空気排出部は前記ハウジングの前面の上部に備えられる、請求項２２に記載の循環構造の空気調和装置。
【請求項２４】
前記ダクト部は、前記流路部に対して左右方向と上下方向のうち少なくとも一つの方向に回転可能であるように構成される、請求項２２に記載の循環構造の空気調和装置。
【請求項２５】
前記ダクト部は、
前記流路部に対して左右方向に回転可能に備えられる第１のダクト部と、前記第１のダクト部を左右方向に回転させる第１の駆動部とを備え、
前記第１のダクト部に対して上下方向に回転可能に備えられ、前記送風部が備えられる第２のダクト部と、前記第２のダクト部を上下方向に回転させる第２の駆動部とを備える、請求項２４に記載の循環構造の空気調和装置。
【請求項２６】
前記ダクト部には、前記貫通部を開閉する開閉部材が備えられる、請求項２２に記載の循環構造の空気調和装置。
【請求項２７】
前記ハウジングの外側に備えられ、前記開閉部材と連結されて外力を前記開閉部材に伝達する摘み部をさらに含む、請求項２６に記載の循環構造の空気調和装置。
【請求項２８】
前記ハウジングの内部に流入した空気を殺菌し、前記空気浄化フィルターを再生させる紫外線発生装置をさらに含む、請求項２２に記載の循環構造の空気調和装置。
【発明の詳細な説明】
【技術分野】
【０００１】
本発明は、循環構造の空気調和装置に関し、より詳細には、外部の空気を下部から吸入して上部から排出することにより、室内空間における全体的な空気の循環を形成する循環構造の空気調和装置に関する。
【背景技術】
【０００２】
従来の除湿機は、内部空間を形成するハウジング、循環冷媒を圧縮する圧縮器、圧縮された高温高圧の冷媒を液化する凝縮器、凝縮された高温高圧の冷媒を膨張させる膨張バルブ、液化した高温高圧の冷媒を蒸発させて気化した低温低圧の冷媒に転換する蒸発器等を含むことができる。
【０００３】
室内空気を乾燥させて乾燥対象物を乾燥させる従来の除湿機は、ハウジングの内部に除湿部及び送風部が設置されており、これにより、送風部の運転時に吐出される風量の圧力損失が大きくなるという問題がある。
【０００４】
したがって、乾燥対象物を好ましく乾燥させるためには送風部の風量を増やさなければならないが、このために送風部の出力を高くして風量を増やそうとする場合は風量の増加に比べて騒音の発生がより大きいという問題がある。
【０００５】
また、十分な風量を確保するために大容量の送風部を設置する場合は送風部のサイズが大きくなり、送風部を除湿機のハウジングの内部に設置するためにはハウジングを含む除湿機自体のサイズも大型化しなければならないという問題がある。
【０００６】
また、従来の除湿機は、上述したように送風部の吐出量が制限的であるため、除湿機が用いられる室内空間における全体的な空気の循環を形成するのが容易ではないという問題がある。
【０００７】
また、従来の除湿機は、ハウジングの内部に設置される送風部とハウジングに一体に形成された空気排出部によって、除湿機から吐出される乾燥空気の吐出方向が制限的であるという問題がある。
【発明の概要】
【発明が解決しようとする課題】
【０００８】
本発明は、上述した従来の問題又は要求事項の少なくとも一つを認識してなされたものである。
【０００９】
本発明は、送風部をハウジングの内部に設けず、ハウジングの外部に突設することにより、送風部の吐出風量の圧力損失を減少させることができる循環構造の空気調和装置を提供することを目的とする。
【００１０】
また、本発明は、送風部の吐出圧力を十分に確保することにより、室内空間における全体的な空気の循環を形成することができる循環構造の空気調和装置を提供することを目的とする。
【００１１】
また、本発明は、ハウジングの前面に形成された空気排出口から乾燥対象物に直接送風して乾燥させ、ハウジングの前面に形成された空気吸入部から湿った空気を吸入することにより、全体的な空気の循環を形成することができる循環構造の空気調和装置を提供することを目的とする。
【００１２】
また、本発明は、送風部をハウジングに一体に形成せず、ハウジングの外部に突設することにより、乾燥対象物に吐出される乾燥空気の風向の調節が容易な循環構造の空気調和装置を提供することを目的とする。
【００１３】
また、本発明は、除湿機能と空気循環機能が選択的に行われるように構成されることにより、除湿機能及び空気循環機能のそれぞれの効率が向上した循環構造の空気調和装置を提供することを目的とする。
【課題を解決するための手段】
【００１４】
上述した目的のうち少なくとも一つを達成するために、本発明の一実施形態によれば、内部空間を備え、空気吸入部及び空気排出部を備えるハウジングと、上記ハウジングの内部に備えられ、上記空気吸入部から上記空気排出部に移動する空気の湿気を除去する除湿部と、上記空気排出部側に備えられ、上記ハウジングの内部の空気を上記空気排出部から乾燥対象物に吐出させる送風部と、上記除湿部の後端に配置され、上記除湿部を通過した乾燥空気を上記送風部に案内する流路部と、一側が上記流路部と連結され、他側に上記送風部が備えられ、外部の空気が上記送風部に流入可能な経路を構成する貫通部が形成されたダクト部と、を含み、上記ダクト部は、上記送風部の送風方向を転換させるように構成される、循環構造の空気調和装置が提供される。
【００１５】
一実施形態において、上記空気吸入部は上記ハウジングの下部に備えられ、上記空気排出部は上記ハウジングの前面の上部に備えられることができる。
【００１７】
また、一実施形態において、上記ダクト部は、上記流路部に対して左右方向と上下方向のうち少なくとも一つの方向に回転可能であるように構成されることができる。
【００１８】
また、一実施形態において、上記ダクト部は、上記流路部に対して左右方向に回転可能であり、上記ダクト部を左右方向に回転させる第１の駆動部を備えることができる。
【００１９】
また、一実施形態において、上記ダクト部は、上記流路部に対して上下方向に回転可能に備えられ、上記ダクト部を上下方向に回転させる第２の駆動部を備えることができる。
【００２０】
また、一実施形態において、上記ダクト部は、上記流路部に対して左右方向に回転可能に備えられる第１のダクト部と、上記第１のダクト部を左右方向に回転させる第１の駆動部とを備え、上記第１のダクト部に対して上下方向に回転可能に備えられ、上記送風部が備えられる第２のダクト部と、上記第２のダクト部を上下方向に回転させる第２の駆動部とを備えることができる。
【００２１】
また、一実施形態において、上記ダクト部には、上記貫通部を開閉する開閉部材が備えられることができる。
【００２２】
また、一実施形態において、上記ハウジングの外側に備えられ、上記開閉部材と連結されて外力を上記開閉部材に伝達する摘み部をさらに含むことができる。
【００２３】
また、一実施形態において、上記開閉部材と摘み部は、上記ダクト部に上下方向に回転可能にヒンジ結合され、上記摘み部が上記ハウジングの上側に配置された場合に上記開閉部材が上記貫通部を開放するように構成され、上記摘み部が上記ハウジングの側面に配置された場合に上記開閉部材が上記貫通部を閉鎖するように構成されることができる。
【００２４】
また、一実施形態において、上記除湿部は、冷凍サイクルの熱交換器で構成されることもできる。
【００２５】
このような構成を有する本発明の一実施形態による循環構造の空気調和装置は、上記貫通部が開放された状態で上記送風部が作動し上記除湿部が作動停止して室内空気を循環させる空気循環モード、上記貫通部が開放された状態で上記送風部と上記除湿部が作動して室内空気を除湿し乾燥対象物へ除湿空気を送風する乾燥モード、及び上記貫通部が閉鎖された状態で上記送風部と上記除湿部が作動して室内空気を除湿する室内除湿モードのうち少なくとも一つを備えることができる。
【００２６】
本発明の他の実施形態による循環構造の空気調和装置は、内部空間を備え、空気吸入部及び空気排出部を備えるハウジングと、上記ハウジングの内部に備えられ、上記空気吸入部から上記空気排出部に移動する空気に水分を提供する加湿部と、上記空気排出部側に備えられ、上記ハウジングの内部の空気を上記空気排出部から吐出させる送風部と、上記加湿部の後端に配置され、上記加湿部を通過した湿った空気を上記送風部に案内する流路部と、一側が上記流路部と連結され、他側に上記送風部が備えられ、外部の空気が上記送風部に流入可能な経路を構成する貫通部が形成されたダクト部と、を含み、前記ダクト部は、前記送風部の送風方向を転換させるように構成されることもできる。
【００２７】
上記加湿部は、水を貯蔵する水槽から加湿用の水の供給を受けて上記ハウジングの内部を流動する空気に水分を供給する加湿手段で構成されることができる。
【００２８】
本発明のさらに他の実施形態による循環構造の空気調和装置は、内部空間を備え、空気吸入部及び空気排出部を備えるハウジングと、上記ハウジングの内部に備えられ、上記空気吸入部から上記空気排出部に移動する空気を浄化させる空気浄化フィルターと、上記空気排出部側に備えられ、上記ハウジングの内部の空気を上記空気排出部から吐出させる送風部と、上記空気浄化フィルターの後端に配置され、上記空気浄化フィルターを通過した清浄空気を上記送風部に案内する流路部と、一側が上記流路部と連結され、他側に上記送風部が備えられ、外部の空気が上記送風部に流入可能な経路を構成する貫通部が形成されたダクト部と、を含み、前記ダクト部は、前記送風部の送風方向を転換させるように構成されることもできる。
【００２９】
また、上記ハウジングの内部に流入した空気を殺菌し、上記空気浄化フィルターを再生させる紫外線発生装置をさらに含むことができる。
【発明の効果】
【００３０】
以上のような本発明の一実施形態によれば、ダクト部が送風部の送風方向を転換させるように構成されているため、送風部の送風方向の転換が可能となり、その結果、室内空間における全体的な空気の循環を形成することができる。また、送風部はハウジングの前面の上部から突設されて室内空間に空気を送風させ、ハウジングの下部の空気吸入部から空気を吸入することにより、室内空間における全体的な空気の循環を形成することができるという効果がある。
【００３１】
また、本発明の一実施形態によれば、送風部をハウジングの内部に設けず、ハウジングの外部に突設することにより、送風部の吐出風量の圧力損失を減少させることができるという効果がある。
【００３２】
また、本発明の一実施形態によれば、高風量のターボファンを用いて吐出風量を十分に確保することにより、室内空間における全体的な空気の循環を形成することができるという効果がある。
【００３３】
また、本発明の一実施形態によれば、送風部をハウジングに一体に形成せず、ハウジングの外部に突設することにより、吐出される空気の風向の調節が容易であるという効果がある。
【００３４】
また、本発明の一実施形態によれば、加湿、除湿及び浄化された空気を高風量で送風させることができるという効果がある。
【００３５】
また、本発明の一実施形態によれば、空気を除湿、加湿及び浄化させる機能と空気を循環させる機能が選択的に行われるように構成されることにより、空気を除湿、加湿及び浄化させる機能と空気を循環させる機能のそれぞれの効率が極大化するという効果がある。
【図面の簡単な説明】
【００３６】
【図１】本発明の一実施形態による循環構造の空気調和装置のハウジングを除去した状態の斜視図である。
【図２】図１に示された循環構造の空気調和装置の側断面図である。
【図３】図１に示された循環構造の空気調和装置の背面斜視図である。
【図４】回転防止部が備えられた第１のダクト部の斜視図である。
【図５】第１のダクト部及び第２のダクト部の結合状態を示す側断面図である。
【図６】図１に示された循環構造の空気調和装置の上下方向の風向調節動作を示す側断面図である。
【図７】図１に示された循環構造の空気調和装置の上下方向の風向調節動作を示す側断面図である。
【図８】図１に示された循環構造の空気調和装置の左右方向の風向調節動作を示す平面図である。
【図９】貫通部の開閉による空気の第１の移動経路と第２の移動経路を示す側断面図である。
【図１０】貫通部の開閉による空気の第１の移動経路と第２の移動経路を示す側断面図である。
【図１１】本発明の他の実施形態による循環構造の空気調和装置の正面斜視図である。
【図１２】図１１に示された循環構造の空気調和装置の背面斜視図である。
【図１３】図１１に示された循環構造の空気調和装置のハウジングが除去された正面斜視図である。
【図１４】図１１に示された循環構造の空気調和装置のハウジングが除去された背面斜視図である。
【図１５】図１１に示された循環構造の空気調和装置に含まれた開閉部材及び摘み部の斜視図である。
【図１６】図１１に示された循環構造の空気調和装置の開閉部材が貫通部を閉鎖した状態を示す側断面図である。
【図１７】図１１に示された循環構造の空気調和装置の開閉部材が貫通部を開放した状態を示す側断面図である。
【図１８】図１１に示された循環構造の空気調和装置の上下方向の風向調節動作を示す側断面図である。
【図１９】図１１に示された循環構造の空気調和装置の上下方向の風向調節動作を示す側断面図である。
【図２０】紫外線発生装置を示す斜視図である。
【発明を実施するための形態】
【００３７】
本明細書中で用いる用語は、単に特定の実施形態を説明するためのものに過ぎず、本発明を限定するものではない。また、本明細書において、単数の表現は、文脈上明らかに異なる意味を有しない限り、複数の表現を含む。
【００３８】
以下、添付の図面を参照して本発明の好ましい実施形態について説明する。
【００３９】
まず、図１〜図１０を参照して、本発明の一実施形態による循環構造の空気調和装置１００について説明する。
【００４０】
図１〜図１０に示されたように、本発明の一実施形態による循環構造の空気調和装置１００は、ハウジング２００、送風部４００、流路部５００及びダクト部６００を含み、補助送風ファン（図示せず）をさらに含むことができる。
【００４１】
また、本発明の一実施形態による循環構造の空気調和装置１００は、空気を処理する機能によって、除湿部３１０、加湿部３２０及び空気浄化フィルター３３０のうち少なくとも一つを含むことができる。
【００４２】
したがって、図１〜図１０には、除湿部３１０、加湿部３２０及び空気浄化フィルター３３０を一つの構成要素として統一して示した。
【００４３】
上記除湿部３１０は、後述するハウジング２００の空気吸入部２１０から空気排出部２２０に移動する空気の湿気を除去することができる。
【００４４】
上記除湿部３１０は、公知の冷凍サイクルの熱交換器（蒸発器）で構成されることができる。
【００４５】
また、上記加湿部３２０は、水を貯蔵する水槽から加湿用の水の供給を受けて後述するハウジング２００の内部を流動する空気に水分を供給する加湿手段（加湿フィルター、加熱器、超音波振動器等）で構成されることができる。
【００４６】
上記空気浄化フィルター３３０は、後述するハウジング２００の空気吸入部２１０から空気排出部２２０に移動する空気を通過させて浄化させるフィルター部材で構成されることができる。
【００４７】
このように、本発明の一実施形態による循環構造の空気調和装置１００は、除湿部３１０、加湿部３２０及び空気浄化フィルター３３０のうち少なくとも一つを備えることにより、除湿機、加湿機、空気清浄機、除加湿機、除湿清浄機、加湿清浄機及び除加湿空気清浄機等の多様な形の製品として具現化されることができる。
【００４８】
上記ハウジング２００は、本発明の一実施形態による循環構造の空気調和装置１００の外観を構成し、内部空間と、空気吸入部２１０及び空気排出部２２０を備えることができる。
【００４９】
上記ハウジング２００の内部空間には、後述する送風部４００、流路部５００、ダクト部６００、除湿部３１０、加湿部３２０、空気浄化フィルター３３０等の構成要素が設置されることができる。
【００５０】
一実施形態において、上記空気吸入部２１０はハウジング２００の下部に形成され、空気排出部２２０はハウジング２００の前面の上部に形成されることができる。
【００５１】
このように空気排出部２２０と空気吸入部２１０がハウジング２００に上下に配置された構造では、ハウジング２００周辺の空気を上下に循環させることができる。
【００５２】
特に、除湿部３１０が備えられた場合、ハウジング２００周辺の湿度が高くて重い空気はハウジング２００の下部に備えられた空気吸入部２１０から吸入され、乾いた空気はハウジング２００の前面の上部に備えられた空気排出部２２０から吐出されることができる。
【００５３】
また、一実施形態において、ハウジング２００の背面には通風口２３０が形成されることができる。
【００５４】
上記通風口２３０は、ダクト部６００の背面に形成された、後述する貫通部６３０と連通して、外部の空気が循環構造の空気調和装置１００の内部に流入する通路を構成することができる。
【００５５】
また、上記送風部４００は、駆動モータの駆動速度によって空気の流れを形成して除湿部３１０、加湿部３２０及び空気浄化フィルター３３０に空気を導入させ、当該除湿部３１０、加湿部３２０及び空気浄化フィルター３３０を通過した空気を吐出させることができる。
【００５６】
一実施形態において、送風部４００の送風ファンとしては高風量のターボファンを用いることができる。
【００５７】
高風量のターボファンを備える送風部４００は、強力な風で室内空間における空気循環を形成し、特定の物体に強い風を吐出させることができる。
【００５８】
図３〜図８に示されたように、送風部４００は、上下方向及び／又は左右方向又は上下左右方向に送風方向の転換が可能であるように備えられることができる。
【００５９】
送風部４００がダクト部６００に設置され、ダクト部６００が上下方向及び／又は左右方向に回転可能であるように構成されることにより、送風部４００の送風方向の転換が可能となる。
【００６０】
ここで、送風部４００の回転方向や回転角度はユーザーが多様に設定することができる。
【００６１】
また、送風部４００は、制御条件によって周期的に吐出風量が可変されるように設定されることができる。
【００６２】
また、一実施形態において、送風部４００は上記ダクト部６００に着脱可能であるように構成され、脱去された送風部４００は別個の電源が連結された置き台（図示せず）に固定されて別個の空気循環器として用いられることもできる。
【００６３】
上記送風部４００は、下部に電源連結端子を備えて置き台から電源の供給を受けることができるように構成されることができる。
【００６４】
上記流路部５００は、除湿部３１０、加湿部３２０及び空気浄化フィルター３３０の後端に配置され、当該除湿部３１０、加湿部３２０及び空気浄化フィルター３３０を通過した空気を送風部４００に移動させる空気の移動経路を構成する。
【００６５】
一実施形態において、流路部５００は、一端が除湿部３１０に連結され、他端がダクト部６００に連結されることができる。
【００６６】
また、一実施形態において、流路部５００にはダクト部６００側の端部方向に係止レール５１０が備えられ、ダクト部６００の第１のダクト部６１０には流路部５００側の端部方向に係止レール５１０が挿入されてかかる挿入レール６１１が備えられることができる。
【００６７】
上記係止レール５１０と挿入レール６１１がスライドされてダクト部６００が流路部５００に対して左右方向に回転可能であるように構成されることができる。
【００６８】
上記ダクト部６００は、一側が流路部５００と連結され、他側に上記送風部４００が設置されるように構成されることにより、送風部４００の送風方向を転換させる機能を行うことができる。
【００６９】
上記ダクト部６００は、流路部５００に対して左右方向及び／又は上下方向に回転可能であるように備えられることができる。
【００７０】
このために、一実施形態において、ダクト部６００を左右方向に移動させる第１の駆動部６５０が備えられることができる。
【００７１】
また、一実施形態において、ダクト部６００を上下方向に移動させる第２の駆動部６６０が備えられることができる。
【００７２】
図３、図６及び図７に示されたように、ダクト部６００は、流路部５００の端部と左右方向又は上下方向にスライド可能に結合されて左右方向及び／又は上下方向に回転可能であるように構成されることができる。
【００７３】
また、図３〜図６に示されたように、ダクト部６００は、流路部５００に対して左右方向に回転可能に備えられる第１のダクト部６１０と、上記第１のダクト部６１０に対して上下方向に回転可能に備えられ、送風部４００が設置される第２のダクト部６２０を含むことができる。
【００７４】
一実施形態において、 図２に示されたように、ダクト部６００の第１のダクト部６１０には挿入レール６１１が備えられ、流路部５００には係止レール５１０が備えられることができる。
【００７５】
上記流路部５００にはダクト部６００側の端部方向に係止レール５１０が備えられ、ダクト部６００の第１のダクト部６１０には流路部５００側の端部方向に係止レール５１０が挿入されてかかる挿入レール６１１が備えられることができる。
【００７６】
上記係止レール５１０と挿入レール６１１がスライドされてダクト部６００が流路部５００に対して左右方向に回転可能となる。
【００７７】
第２のダクト部６２０は第１のダクト部６１０の外周面を取り囲む形で備えられ、第１のダクト部６１０の外周面と第２のダクト部６２０の内周面が接する状態でスライド可能に結合されることができる。
【００７８】
このような構造により、第２のダクト部６２０は、第１のダクト部６１０に対して上下方向に回転可能である。
【００７９】
一実施形態において、ダクト部６００は、上記第１のダクト部６１０を左右方向に移動させる第１の駆動部６５０と、上記第２のダクト部６２０を上下方向に移動させる第２の駆動部６６０と、を備えることができる。
【００８０】
ここで、上記第１の駆動部６５０はダクト部６００を左右方向に移動させる駆動手段を意味し、上記第２の駆動部６６０はダクト部６００を上下方向に移動させる駆動手段を意味する。
【００８１】
一実施形態において、第１の駆動部６５０は、第１のラックギア６５１、第１のピニオンギア６５２及び第１の駆動モータ６５３で構成され、第２の駆動部６６０は、第２のラックギア６５１、第２のピニオンギア６６２及び第２の駆動モータ６６３で構成されることができる。
【００８２】
上記第１の駆動モータ、第２の駆動モータは、ステッピングモータで構成され、ステッピングモータの駆動速度及び正回転、逆回転等の回転方向を制御して空気の送風方向を調節することができる。
【００８３】
次に、図３及び図６を参照して、第１の駆動部６５０による第１のダクト部６１０の左右方向の回転動作を説明する。
【００８４】
上記第１のダクト部６１０には上記流路部５００側の端部の円周方向に第１のラックギア６５１が形成され、上記流路部５００には上記第１のラックギア６５１に対応する第１のピニオンギア６５２と第１の駆動モータ６５３を備えることにより、第１のダクト部６１０を左右方向に回転させることができる。
【００８５】
図３に示されたように、第１のダクト部６１０は流路部５００側の端部の円周方向に形成された第１のラックギア６５１を備え、流路部５００に設置された第１の駆動モータ６５３には第１のラックギア６５１に対応する第１のピニオンギア６５２を備えることができる。
【００８６】
第１の駆動モータ６５３が駆動すると、第１のピニオンギア６５２が回転し、当該第１のピニオンギア６５２に連結された第１のラックギア６５１が回転して、第１のダクト部６１０が左右方向に回転することができる。
【００８７】
この際、第１のダクト部６１０に連結された第２のダクト部６２０も第１のダクト部６１０の回転によって左右方向に回転して、第２のダクト部６２０の前面に結合された送風部４００が左右方向に回転することができる。
【００８８】
次に、図３、図６及び図７を参照して、第２の駆動部６６０による第２のダクト部６２０の上下方向の回転動作を説明する。
【００８９】
上記第１のダクト部６１０の上面には前後方向に第２のラックギア６５１が形成され、上記第２のダクト部６２０には上記第２のラックギア６５１に対応する第２のピニオンギア６６２と第２の駆動モータ６６３を備えることにより、第２のダクト部６２０を上下方向に回転させることができる。
【００９０】
図３に示されたように、第１のダクト部６１０は上面に前後方向に第２のラックギア６５１を備え、第２のダクト部６２０の上面に設置された第２の駆動モータ６６３には第２のラックギア６５１に対応する第２のピニオンギア６６２を備えることができる。
【００９１】
第２の駆動モータ６６３が駆動すると、第２のピニオンギア６６２が回転し、第２のピニオンギア６６２に連結された第２のラックギア６５１が回転して、第２のダクト部６２０が上下方向に回転することができる。
【００９２】
これにより、第２のダクト部６２０の前面に結合された送風部４００が上下方向に一緒に回転することができる。
【００９３】
他の実施形態として、第１のダクト部６１０の一側面に第２のラックギア６５１を備え、第２のダクト部６２０の一側面に設置された第２の駆動モータ６６３には第２のラックギア６５１に対応する第２のピニオンギア６６２を備えることもできる。
【００９４】
また、一実施形態において、第１のダクト部６１０と第２のダクト部６２０には、上記送風部４００の自重による回転を防止する回転防止部６７０が備えられることができる。
【００９５】
一例として、上記回転防止部６７０は、第１のダクト部６１０に形成された突起６７１又は溝６７２と、これに対応して第２のダクト部６２０に形成された溝６７２又は突起６７１で構成されることができる。
【００９６】
上記回転防止部６７０は、第１のダクト部６１０に形成された突起６７１と、第２のダクト部６２０に形成された、上記突起６７１に対応する溝６７２との結合、又は第１のダクト部６１０に形成された溝６７２と、第２のダクト部６２０に形成された、上記溝６７２に対応する突起６７１との結合によって、送風部４００の自重による回転を防止することができる。
【００９７】
ダクト部６００の背面には、外部の空気の流入を可能にする貫通部６３０が備えられることができる。
【００９８】
貫通部６３０は、ハウジング２００の背面部に形成された通風口２３０と連通可能に備えられて外部の空気がハウジング２００の内部に流入することができる経路を構成する。
【００９９】
また、一実施形態において、ダクト部６００は、貫通部６３０を通してダクト部６００に流入する空気の流動量を調節できるように貫通部６３０を開閉する開閉部材６４０をさらに含むことができる。
【０１００】
図示されてはいないが、開閉部材６４０は、ラックギア、ピニオンギア及び駆動モータによって開閉動作を行うことができる。
【０１０１】
即ち、開閉部材６４０はラックギア（図示せず）を備え、駆動モータ（図示せず）は上記ラックギア（図示せず）に対応するピニオンギア（図示せず）を備えることができる。
【０１０２】
上記駆動モータが駆動すると、ピニオンギアが回転し、これにより、ラックギアが回転し、開閉部材６４０が上下方向に移動して貫通部６３０を開閉することができる。
【０１０３】
開閉部材６４０の開閉によって空気の移動経路が変わり、除湿部３１０、加湿部３２０及び空気浄化フィルター３３０を経る空気の流動量が調節されることができる。
【０１０４】
図９に示されたように、空気吸入部２１０から流入した空気が流路部５００、ダクト部６００、送風部４００の経路を経る場合、送風部４００の運転時に吐出される風圧が低減されることができる。
【０１０５】
したがって、図１０に示されたように、除湿部３１０、加湿部３２０及び空気浄化フィルター３３０による空気処理機能（除湿、加湿及び空気浄化）の必要性が低い場合は、ダクト部６００に備えられた貫通部６３０を開放して、通風口２３０を通して外部から直接空気を導入することにより、送風部４００の風圧を補強することができる。
【０１０６】
即ち、本発明の一実施形態による循環構造の空気調和装置１００は、二つの空気移動経路（以下、第１の移動経路及び第２の移動経路という。）を有することができる。
【０１０７】
第１の移動経路は空気吸入部２１０、流路部５００、ダクト部６００及び送風部４００を経る経路であり、第２の移動経路は通風口２３０、貫通部６３０、ダクト部６００及び送風部４００を経る経路である。
【０１０８】
開閉部材６４０によって通風口２３０が開放される場合、空気の移動経路の構造及び長さ等を考慮すると、第１の移動経路よりは第２の移動経路の方からより多くの空気が流入することができる。
【０１０９】
図９に示されたように、開閉部材６４０によって貫通部６３０が閉鎖される場合は、空気の第２の移動経路が閉鎖され、空気吸入部２１０、流路部５００、ダクト部６００及び送風部４００を経る第１の移動経路のみから空気が流入することができる。
【０１１０】
以下、上記のような空気移動経路を備える循環構造の空気調和装置１００に除湿部３１０が備えられたタイプについて説明する。
【０１１１】
循環構造の空気調和装置１００に除湿部３１０が備えられた場合において、室内の湿度が十分に低いことから除湿部３１０を駆動する必要性が少なく、送風部４００の強い風量のみでも乾燥対象物の乾燥が可能な場合は、開閉部材６４０によって貫通部６３０を開放して第２の移動経路から外部の空気を流入させることができる。
【０１１２】
逆に、室内の湿度が高いことから除湿部３１０の駆動が必要な場合は、開閉部材６４０によって貫通部６３０を閉鎖して第１の移動経路から外部の空気を流入させることができる。
【０１１３】
このように動作可能な本発明の一実施形態による循環構造の空気調和装置１００は、貫通部６３０の開放の有無と除湿部３１０の作動の有無によって、空気循環モード、乾燥モード及び室内除湿モードを備えることができる。
【０１１４】
上記空気循環モードで、上記貫通部６３０は開放され、上記送風部４００は作動し上記除湿部３１０は作動しない。
【０１１５】
これにより、空気循環モードで動作する本発明の一実施形態による循環構造の空気調和装置１００は、室内空気を除湿せずに循環させることができる。
【０１１６】
また、上記乾燥モードで、上記貫通部６３０は開放され、上記送風部４００と除湿部３１０は作動する。
【０１１７】
これにより、乾燥モードで動作する本発明の一実施形態による循環構造の空気調和装置１００は、除湿空気を強い圧力で乾燥対象物に送風することができる。
【０１１８】
また、上記室内除湿モードで、上記貫通部６３０は閉鎖され、上記送風部４００と除湿部３１０は作動する。
【０１１９】
これにより、室内除湿モードで動作する本発明の一実施形態による循環構造の空気調和装置１００は、乾燥対象物へ強い圧力の空気を送風せずに低騒音で室内空気を除湿することができる。
【０１２０】
また、一実施形態において、ダクト部６００は、折り畳まれる蛇腹型であってもよい。
【０１２１】
蛇腹構造の部材は、柔軟な材質からなる、折り畳まれる構造の管状部材であり、蛇腹型のダクト部６００の一端部は流路部５００に連結され、他端部は送風部４００に連結されることができる。
【０１２２】
ダクト部６００を、広がったり畳まれたりする蛇腹型の構造で形成することにより、送風方向を上下左右方向に柔軟に変えることができる。
【０１２３】
蛇腹型のダクト部６００は、柔軟な材質からなるため、それ自体ではダクト部６００に結合される送風部４００を支持するのが容易ではない。したがって、ハウジング２００に送風部４００を固定できる別個の固定部材を設置して送風部４００を支持することができる。
【０１２４】
本発明の一実施形態による循環構造の空気調和装置１００に空気浄化フィルター３３０が備えられたタイプのものには、図２０に示されたように、ハウジング２００の内部に流入した空気を殺菌し空気浄化フィルター３３０を再生させる紫外線発生装置３４０がさらに備えられることができる。
【０１２５】
一実施形態において、紫外線発生装置３４０は、空気浄化フィルター３３０の一面に配置されて、空気浄化フィルター３３０を通過して流動する空気を殺菌し、空気浄化フィルター３３０を再生させることができる。
【０１２６】
また、図示されてはいないが、上記補助送風ファン（図示せず）は、ハウジング２００の内部の除湿部３１０、加湿部３２０及び空気浄化フィルター３３０の後端に備えられることができる。
【０１２７】
一実施形態において、補助送風ファンは、除湿部３１０、加湿部３２０及び空気浄化フィルター３３０の後方に配置されて、空気吸入部２１０からハウジング２００の内部に吸入される空気の吸入量を増加させることにより、送風部４００の風量を増大させることができる。
【０１２８】
また、上記補助送風ファンは、除湿部３１０、加湿部３２０及び空気浄化フィルター３３０を通過する空気の量を増加させることができるため、送風部４００によって吐出される除湿、加湿及び浄化処理された空気の量を増加させることができる。
【０１２９】
また、一実施形態において、補助送風ファンと送風部４００は、独立して作動することができる。
【０１３０】
次に、図１１〜図１９を参照して、本発明の他の実施形態による循環構造の空気調和装置１００について説明する。
【０１３１】
図１１〜図１９に示されたように、本発明の他の実施形態による循環構造の空気調和装置１００は、図１〜図１０を参照して前述した本発明の一実施形態による循環構造の空気調和装置１００とは異なり、貫通部６３０を開閉する開閉部材９１０が、摘み部９２０によって伝達される外力によって手動で動作することができるように構成されることができる。
【０１３２】
また、本発明の他の実施形態による乾燥機１００は、上記開閉部材９１０の開閉動作を感知する動作感知手段９５０をさらに含むことができる。
【０１３３】
このような差異を除き、ハウジング２００、除湿部３１０、加湿部３２０、空気浄化フィルター３３０、送風部４００、流路部５００、ダクト部６００及び補助送風ファン（図示せず）は、図１〜図１０を参照して前述した本発明の一実施形態による循環構造の空気調和装置１００に含まれるハウジング２００、除湿部３１０、加湿部３２０、空気浄化フィルター３３０、送風部４００、流路部５００、ダクト部６００及び補助送風ファン（図示せず）と実質的に同じである。
【０１３４】
したがって、以下では、開閉部材９１０、摘み部９２０及び動作感知手段９５０について主に説明し、他の構成要素については説明を省略する。
【０１３５】
本発明の他の実施形態において、上記開閉部材９１０は、貫通部６３０を開閉できる部材である。
【０１３６】
また、上記開閉部材９１０は、外力によって作動することができる。
【０１３７】
他の実施形態において、開閉部材９１０は、第１のダクト部６１０の内側又は外側に備えられて、ダクト部６００に形成された貫通部６３０を開閉することができる。
【０１３８】
また、上記摘み部９２０は、ハウジング２００の外側に備えられ、開閉部材９１０と連結されて外力を開閉部材９１０に伝達することができる。
【０１３９】
ここで、外力は、開閉部材９１０を作動させて貫通部６３０を開閉するためにユーザーが摘み部９２０を作動させる力を意味する。
【０１４０】
また、他の実施形態において、開閉部材９１０は、上下方向に回転しながら貫通部６３０を開閉するようにダクト部６００にヒンジ結合されることができる。
【０１４１】
上記摘み部９２０は、開閉部材９１０の回転軸９３０に結合されて、外力によって上下方向に回転し開閉部材９１０を回転させるように構成されることができる。
【０１４２】
具体的には、図１１〜図１５に示されたように、開閉部材９１０が第１のダクト部６１０の内側に備えられ、開閉部材９１０の両側に備えられた回転軸７３０が第１のダクト部６１０と第２のダクト部６２０の両側にヒンジ結合されることができる。
【０１４３】
また、摘み部９２０は、ハウジング２００の両側に形成された切開部２７０を介して開閉部材９１０の回転軸９３０と結合されることができる。
【０１４４】
ハウジング２００に形成された上記切開部２７０は、ダクト部６００の左右方向の回転に伴って左右に移動する回転軸９３０の移動空間を確保するために、ハウジング２００の前後方向に長く伸びて形成されることが好ましい。
【０１４５】
図１６及び図１７に示されたように、本発明の他の実施形態による循環構造の空気調和装置１００において、開閉手段７００は、摘み部９２０がハウジング２００の上側に配置された場合に開閉部材９１０が貫通部６３０を開放するように構成されることができる。
【０１４６】
これとは逆に、摘み部９２０がハウジング２００の背面側に配置された場合には開閉部材９１０が貫通部６３０を閉鎖するように構成されることができる。
【０１４７】
このような構成により、ユーザーは、摘み部９２０を上側に持ち上げて貫通部６３０を開放させ、摘み部９２０をハウジング２００の背面側に引いて貫通部６３０を閉鎖させることができる。
【０１４８】
一方、本発明の実施形態による循環構造の空気調和装置１００は、ユーザーの環境によって空気処理機能を用いずに空気循環機能のみを用いようとする場合、ハウジング２００の下部から吸入されて上部に折れ曲がって再度ハウジング２００の前面に折れ曲がる空気流路の折り曲げ構造によって風量が減少する可能性がある。
【０１４９】
これを補完するために、送風部４００の直後方に形成された貫通部６３０を開放すると、除湿部３１０、加湿部３２０及び空気浄化フィルター３３０を通過しない空気が吐出されるため、空気処理効率が低下する可能性がある。
【０１５０】
このような点を解消するために、本発明の他の実施形態による循環構造の空気調和装置１００は、貫通部６３０が開放された場合には除湿部３１０及び加湿部３２０が自動で作動を中止し、貫通部６３０が閉鎖された場合のみに除湿部３１０及び加湿部３２０が作動するように構成されることができる。
【０１５１】
このために、本発明の他の実施形態による循環構造の空気調和装置１００には、上記動作感知手段８００が含まれることができる。
【０１５２】
動作感知手段８００は、開閉部材９１０によって貫通部６３０が開放されたか否かを感知することができる。
【０１５３】
一実施形態において、動作感知手段８００は、開閉手段７００の開閉動作に連動してオン／オフされるスイッチで構成されることができる。
【０１５４】
例えば、動作感知手段８００は、上記ダクト部６００に設置され、開閉部材９１０が貫通部６３０を閉める所に位置するとこれに連動してオン／オフされるマイクロスイッチ、リードスイッチ等で構成されることもできるが、これに限定されない。
【０１５５】
このような構成を有する本発明の他の実施形態による循環構造の空気調和装置１００は、ユーザーが作動摘みを持ち上げると自動で除湿部３１０の作動が止まり、作動摘みを下げると自動で除湿部３１０が稼働されるように構成されることができる。
【０１５６】
また、前述したように、本発明の他の実施形態による循環構造の空気調和装置１００は、ユーザーが装置本体を移動させるために摘み部９２０を持ち上げると自動で除湿部３１０及び加湿部３２０の作動が止まるように構成されることにより、除湿部３１０及び加湿部３２０が作動する状態で製品が移動するなどの問題が発生しないという長所がある。
【０１５７】
以上、本発明の特定の実施形態について図示し説明したが、当業界における通常の知識を有する者であれば以下の特許請求の範囲に記載の本発明の思想及び領域を外れない範囲内で本発明を多様に修正及び変更させることができる。
【図１】
0006452624.tif 000002
【図２】
0006452624.tif 000003
【図３】
0006452624.tif 000004
【図４】
0006452624.tif 000005
【図５】
0006452624.tif 000006
【図６】
0006452624.tif 000007
【図７】
0006452624.tif 000008
【図８】
0006452624.tif 000009
【図９】
0006452624.tif 000010
【図１０】
0006452624.tif 000011
【図１１】
0006452624.tif 000012
【図１２】
0006452624.tif 000013
【図１３】
0006452624.tif 000014
【図１４】
0006452624.tif 000015
【図１５】
0006452624.tif 000016
【図１６】
0006452624.tif 000017
【図１７】
0006452624.tif 000018
【図１８】
0006452624.tif 000019
【図１９】
0006452624.tif 000020
【図２０】
0006452624.tif 000021